(57)【特許請求の範囲】
【請求項１】
電力変換回路（１３）、及び前記電力変換回路に対する通電操作により直流電源（１４）と電力伝達を行う回転電機（１２）を備えるシステムに適用され、
前記電力変換回路の電圧ベクトルの位相を電圧位相とし、ｄｑ座標系における正のｑ軸を基準として、前記電圧ベクトルが時計まわりに回転する場合における前記電圧位相を正の値で定義し、
前記回転電機の予め定められたｄ軸インダクタンスに基づいて、前記直流電源と前記電力変換回路との間に流れる電流を推定する電流推定手段と、
前記電圧位相を、０°よりも大きくてかつ９０°よりも小さい規定位相以下にすることを条件として、前記回転電機を制御するための前記電圧位相を算出する位相算出手段と、
前記位相算出手段によって算出された前記電圧位相、前記直流電源の電圧及び前記回転電機の回転速度に基づいて、ｄｑ座標系における前記電圧ベクトルのｑ軸成分と前記回転電機の誘起電圧成分との差である誘起電圧偏差を算出し、算出した前記誘起電圧偏差に基づいて、ｄｑ座標系におけるｄ軸電流が０よりも大きい所定の値になると判定している場合、前記電圧ベクトルのｑ軸成分を前記回転電機の誘起電圧成分に追従させるべく前記電圧ベクトルの振幅である電圧振幅を操作する振幅操作手段とを備えることを特徴とする電流推定装置。
【請求項２】
前記システムは、車載主機としてのエンジン（１１）と、前記エンジンの出力軸（１１ａ）に連結された駆動輪（１７）と、前記エンジンの出力軸と前記駆動輪との間の動力を伝達可能な状態、及び前記エンジンの出力軸と前記駆動輪との間の動力が遮断される状態のいずれかに切り替え可能に構成されたクラッチ（１６）とを備える車両（１０）に搭載され、
前記回転電機の回転軸は、前記エンジンの出力軸に直結され、
前記振幅操作手段は、前記クラッチが前記遮断される状態とされていることを条件として、前記誘起電圧偏差の算出に用いる前記回転速度として、前記回転軸の回転速度であって、前記エンジンの１燃焼サイクルにおける前記回転速度の最小値近傍の回転速度を用いる請求項１記載の電流推定装置。
【請求項３】
前記車両は、自動２輪車である請求項２記載の電流推定装置。
【請求項４】
電力変換回路（１３）、及び前記電力変換回路に対する通電操作により直流電源（１４）と電力伝達を行う回転電機（１２）を備えるシステムに適用され、
前記電力変換回路の電圧ベクトルの位相を電圧位相とし、ｄｑ座標系における正のｑ軸を基準として、前記電圧ベクトルが時計まわりに回転する場合における前記電圧位相を正の値で定義し、
前記回転電機の予め定められたｄ軸インダクタンスに基づいて、前記直流電源と前記電力変換回路との間に流れる電流を推定する電流推定手段と、
前記電圧位相を、０°よりも大きくてかつ９０°よりも小さい規定位相以下にすることを条件として、前記回転電機を制御するための前記電圧位相を算出する位相算出手段と、
前記位相算出手段によって算出された前記電圧位相、前記直流電源の電圧及び前記回転電機の回転速度に基づいて、ｄｑ座標系におけるｄ軸電流を推定し、推定した前記ｄ軸電流が０よりも大きい所定の値になると判定している場合、前記電圧ベクトルのｑ軸成分を前記回転電機の誘起電圧成分に追従させるべく前記電圧ベクトルの振幅である電圧振幅を操作する振幅操作手段とを備えることを特徴とする電流推定装置。
【請求項５】
前記位相算出手段によって算出された前記電圧位相に基づいて、前記回転電機の印加電圧を制御する電圧制御手段を備え、
前記振幅操作手段は、前記ｑ軸成分を前記誘起電圧成分に追従させるための前記電圧振幅の操作を、前記印加電圧を調整することで行う請求項１〜４のいずれか１項に記載の電流推定装置。
【請求項６】
前記電力変換回路は、上アームスイッチ（Ｓｕｐ，Ｓｖｐ，Ｓｗｐ）及び下アームスイッチ（Ｓｕｎ，Ｓｖｎ，Ｓｗｎ）の直列接続体を備え、
前記電圧制御手段は、前記位相算出手段によって算出された前記電圧位相に基づいて、１８０°通電制御又は１２０°通電制御によって前記上アームスイッチ及び前記下アームスイッチをオンオフ操作することで前記印加電圧を制御し、
前記上アームスイッチ及び前記下アームスイッチのうちいずれか一方のスイッチを対象スイッチ（Ｓｕｎ，Ｓｖｎ，Ｓｗｎ）とし、
前記振幅操作手段は、前記ｑ軸成分を前記誘起電圧成分に追従させるための前記電圧振幅の操作を、前記１８０°通電制御又は前記１２０°通電制御によって規定される前記対象スイッチのオン操作可能期間において時比率に従って前記対象スイッチをオンオフ操作することで行う請求項５記載の電流推定装置。
【請求項７】
前記誘起電圧成分に対して前記電圧ベクトルのｑ軸成分が大きいほど、前記時比率を小さく設定する時比率設定手段をさらに備える請求項６記載の電流推定装置。
【請求項８】
前記直流電源の電圧とその目標電圧との偏差である電圧偏差を算出する電圧偏差算出手段を備え、
前記位相算出手段は、前記電圧位相を０°よりも大きくてかつ前記規定位相以下にすることを条件として、前記電圧偏差算出手段によって算出された前記電圧偏差を０にフィードバック制御するための操作量として前記電圧位相を算出する請求項５〜７のいずれか１項に記載の電流推定装置。
【請求項９】
前記電流推定手段によって推定された電流に基づいて、前記直流電源の充電率を算出する充電率算出手段を備える請求項１〜８のいずれか１項に記載の電流推定装置。
【発明の詳細な説明】
【技術分野】
【０００１】
本発明は、電力変換回路、及び前記電力変換回路に対する通電操作により直流電源と電力伝達を行う回転電機を備えるシステムに適用される電流推定装置に関する。
【背景技術】
【０００２】
従来、下記特許文献１に見られるように、回転電機の電圧方程式に基づいてｄｑ座標系におけるｄ，ｑ軸電流を算出する制御装置が知られている。詳しくは、この制御装置では、ｄ軸インダクタンスに基づいてｄ，ｑ軸電流を算出している。
【先行技術文献】
【特許文献】
【０００３】
【特許文献１】特許第５３９６９０６号公報
【発明の概要】
【発明が解決しようとする課題】
【０００４】
ところで、電力変換回路、及び電力変換回路に対する通電操作により直流電源と電力伝達を行う回転電機を備えるシステムにおいて、直流電源と電力変換回路との間に流れる電流を推定する技術がある。この技術では、予め定められたｄ軸インダクタンスに基づいて、ｄ，ｑ軸電流を算出し、算出されたｄ，ｑ軸電流に基づいて、直流電源と電力変換回路との間に流れる電流を推定する。
【０００５】
ここで、ｄ軸インダクタンスは、ｄ軸電流が０よりも大きくなる場合に生じる急激な磁気飽和の影響によって変化する。この場合、実際のｄ軸インダクタンスが予め定められたｄ軸インダクタンスから大きくずれ、直流電源と電力変換回路との間に流れる電流の推定誤差が大きくなる懸念がある。なお、上述した急激な磁気飽和が発生する場合におけるｄ軸インダクタンスの特性を正確に把握することも考えられる。ただし、この特性を正確に把握することは困難である。
【０００６】
本発明は、直流電源と電力変換回路との間に流れる電流の推定誤差を好適に抑制できる電流推定装置を提供することを主たる目的とする。
【課題を解決するための手段】
【０００７】
以下、上記課題を解決するための手段、及びその作用効果について記載する。
【０００８】
本発明は、電力変換回路（１３）、及び前記電力変換回路に対する通電操作により直流電源（１４）と電力伝達を行う回転電機（１２）を備えるシステムに適用され、前記回転電機の予め定められたｄ軸インダクタンスに基づいて、前記直流電源と前記電力変換回路との間に流れる電流を推定する電流推定手段と、前記回転電機のｄｑ座標系におけるｄ軸電流が０よりも大きい所定の値となることを条件として、前記電力変換回路の電圧ベクトルのｑ軸成分を前記回転電機の誘起電圧成分に追従させるべく前記電圧ベクトルの振幅である電圧振幅を操作する振幅操作手段とを備えることを特徴とする。
【０００９】
電圧ベクトルのｑ軸成分が誘起電圧成分と一致する状態においては、ｄ軸電流が０となる。この点に鑑み、上記発明では、ｄ軸電流が０よりも大きい所定の値となることを条件として、電圧振幅の操作により、電圧ベクトルのｑ軸成分を回転電機の誘起電圧成分に追従させる。このため、実際のｄ軸インダクタンスが、電流推定に用いられる予め定められたｄ軸インダクタンスから大きくずれることを回避できる。これにより、電流推定手段による電流の推定誤差を好適に抑制することができる。
【図面の簡単な説明】
【００１０】
【図１】自動２輪車の全体構成図。
【図２】始動発電機の制御システムの全体構成図。
【図３】磁極位置検出センサの出力信号を示すタイムチャート。
【図４】１８０°通電制御態様を示す図。
【図５】印加電圧算出部の処理を示すブロック図。
【図６】電流推定部の処理を示すブロック図。
【図７】アイドリング状態における電流推定誤差の増大態様の一例を示す図。
【図８】ｑ軸電圧を誘起電圧に追従させることでｄ軸電流が０となることを示すｄｑ座標系。
【図９】誘起電圧追従制御処理の手順を示すフローチャート。
【図１０】１燃焼サイクルのおける回転変動を示すタイムチャート。
【図１１】誘起電圧追従制御時の１８０°通電制御態様を示す図。
【図１２】電圧位相と時比率補正量との関係を示す図。
【図１３】その他の実施形態にかかる１２０°通電制御態様を示す図。
【図１４】その他の実施形態にかかる誘起電圧追従制御時の１２０°通電制御態様を示す図。
【発明を実施するための形態】
【００１１】
以下、本発明にかかる電流推定装置を車載主機としてエンジンを搭載した自動２輪車（オートバイ）に適用した一実施形態について、図面を参照しつつ説明する。
【００１２】
図１に示すように、自動２輪車１０は、エンジン１１、回転電機としての始動発電機１２、電力変換回路としてのインバータ１３、直流電源としてのバッテリ１４、変速装置１５、クラッチ１６、駆動輪１７、及び制御装置２０を備えている。エンジン１１は、自動２輪車１０の車載主機であり、本実施形態では、単気筒４ストロークエンジンである。なお、エンジン１１の燃焼制御は、制御装置２０とは異なる他の制御装置（図示せず）によって行われてもよいし、制御装置２０によって行われてもよい。
【００１３】
エンジン１１の出力軸（以下、クランク軸１１ａ）の第１端には、変速装置１５の入力側（具体的には例えば、エンジン側プーリ）が連結されている。本実施形態では、変速装置１５として、自動変速装置（具体的には、無段変速装置）を用いている。変速装置１５の出力側（具体的には例えば、駆動輪側プーリ）には、クラッチ１６と、図示しない２次減速機構とを介して、駆動輪１７が連結されている。
【００１４】
クラッチ１６は、変速装置１５の出力側と駆動輪１７との間の動力を伝達可能な状態（以下、クラッチミート状態）、及び変速装置１５の出力側と駆動輪１７との間の動力が遮断される状態（以下、クラッチ遮断状態）のいずれかに切り替え可能に構成されている。本実施形態では、クラッチ１６として、自動遠心クラッチを用いている。本実施形態にかかる自動遠心クラッチは、変速装置１５の出力側に接続されたクラッチシュー、クラッチスプリング、及び駆動輪１７側に接続されたクラッチアウターを備えている。この構成において、エンジン１１の低回転時においては、クラッチスプリングの弾性力によってクラッチシューが縮径し、クラッチシューとクラッチアウターとが非接触状態とされる。これにより、クラッチ遮断状態とされる。一方、エンジン１１の回転速度が上昇してクラッチシューに作用する遠心力が増大すると、クラッチスプリングの弾性力に打ち勝ってクラッチシューが拡径し、クラッチシューがクラッチアウターに接触した状態となる。これにより、クラッチミート状態とされる。特に本実施形態では、クランク軸１１ａの回転速度が所定回転速度（＞０）以上となった場合にクラッチミート状態とされるようにクラッチ１６が構成されている。本実施形態において、上記所定回転速度は、エンジン１１のアイドル回転速度よりも高い回転速度に設定されている。
【００１５】
クランク軸１１ａの第２端には、始動発電機１２を構成するロータの回転軸が直結されている。このため、始動発電機１２のロータは、クランク軸１１ａと一体に回転する。始動発電機１２は、電動機（エンジン始動用のスタータ）及び発電機として動作可能であり、エンジンブロックに取り付けられている。本実施形態において、始動発電機１２は、３相交流の永久磁石型同期機であり、永久磁石が設けられた上記ロータと、各相巻線が巻回されたステータとを備えている。
【００１６】
続いて、図２を用いて、始動発電機１２の制御システムについて説明する。始動発電機１２は、インバータ１３を介して、バッテリ１４に電気的に接続されている。インバータ１３は、上アームスイッチＳｕｐ，Ｓｖｐ，Ｓｗｐと下アームスイッチＳｕｎ，Ｓｖｎ，Ｓｗｎとの直列接続体を備えている。Ｕ相上，下アームスイッチＳｕｐ，Ｓｕｎの接続点には、始動発電機１２の図示しないＵ相巻線の第１端が接続され、Ｖ相上，下アームスイッチＳｖｐ，Ｓｖｎの接続点には、図示しないＶ相巻線の第１端が接続され、Ｗ相上，下アームスイッチＳｗｐ，Ｓｗｎの接続点には、図示しないＷ相巻線の第１端が接続されている。Ｕ，Ｖ，Ｗ相巻線の第２端同士は、短絡されている。すなわち、本実施形態では、始動発電機１２として、Ｙ結線されたものを用いている。各上アームスイッチＳｕｐ，Ｓｖｐ，Ｓｗｐの高電位側の端子には、バッテリ１４の正極端子が接続され、各下アームスイッチＳｕｎ，Ｓｖｎ，Ｓｗｎの低電位側の端子には、バッテリ１４の負極端子が接続されている。
【００１７】
ちなみに、各スイッチＳｕｐ〜Ｓｗｎとしては、例えば、ＭＯＳ−ＦＥＴやＩＧＢＴ等の電圧制御形の半導体スイッチング素子を用いることができる。また、各スイッチＳｕｐ〜Ｓｗｎには、各フリーホイールダイオードＤｕｐ〜Ｄｗｎが逆並列に接続されている。なお、各フリーホイールダイオードＤｕｐ〜Ｄｗｎは、各スイッチが例えばＭＯＳ−ＦＥＴの場合、ボディダイオードであってもよいし、外付けのダイオードであってもよい。
【００１８】
制御システムは、電圧センサ１８と、磁極位置検出センサ１９とを備えている。本実施形態において、電圧センサ１８は、バッテリ１４の端子間電圧を検出する。また、磁極位置検出センサ１９（例えば、ホールＩＣ）は、各相に対応して設けられ、ロータの回転に応じて図３に示すような出力信号を出力する。これにより、始動発電機１２の回転角度（電気角θ）を電気角６０°間隔で把握することができる。なお、図３には、Ｕ，Ｖ，Ｗ相に対応する出力信号をＳｉｇＵ，ＳｉｇＶ，ＳｉｇＷで示した。
【００１９】
先の図２の説明に戻り、電圧センサ１８及び磁極位置検出センサ１９の出力信号は、制御装置２０に入力される。制御装置２０は、マイコンを主体として構成されている。本実施形態において、制御装置２０は、始動発電機１２を発電機として動作させる場合において、電圧センサ１８によって検出されたバッテリ１４の端子間電圧（以下、バッテリ電圧ＶＤＣ）を目標電圧Ｖｔｇｔに制御すべく、インバータ１３を操作する。詳しくは、制御装置２０は、上記各種センサの検出値に基づき、始動発電機１２を周知の３相１８０°通電方式で駆動させるためのＵ，Ｖ，Ｗ相印加電圧Ｖｕ，Ｖｖ，Ｖｗを算出する。制御装置２０は、算出された印加電圧に基づいて、各スイッチＳｕｐ〜Ｓｗｎをオンオフ操作する。これにより、各相のそれぞれについて上アームスイッチと下アームスイッチとが電気角１８０°毎に交互にオン状態とされてかつ、上アームスイッチのオフ状態への切り替えが相毎に電気角で互いに１２０°ずつずれるようにスイッチングが行われる。
【００２０】
ここで、先の図２に示すように、本実施形態にかかる制御システムは、バッテリ１４とインバータ１３とを接続する電気経路に流れる直流電流ＩＤＣを検出する電流センサを備えていない。このため、本実施形態において、制御装置２０は、直流電流ＩＤＣを推定する電流推定処理を行う。以下、始動発電機１２の制御について説明した後、電流推定処理について説明する。なお、本実施形態では、上アームスイッチＳｕｐ，Ｓｖｐ，Ｓｗｐの高電位側の端子からバッテリ１４の正極端子へと流れる直流電流ＩＤＣ（充電電流）を正の値で定義し、バッテリ１４の正極端子から上アームスイッチＳｕｐ，Ｓｖｐ，Ｓｗｐの高電位側の端子へと流れる直流電流ＩＤＣ（放電電流）を負の値で定義する。
【００２１】
制御装置２０は、速度算出部２１、印加電圧算出部２２、電流推定部２３（「電流推定手段」に相当）、及びＳＯＣ算出部２４（「充電率算出手段」に相当）を備えている。速度算出部２１は、磁極位置検出センサ１９の出力信号（具体的には例えば、出力信号の論理反転タイミングの間隔）に基づいて、始動発電機１２の回転速度ω（電気角速度）を算出する。
【００２２】
印加電圧算出部２２は、各相巻線に対する印加電圧の指令値である上記各相印加電圧Ｖｕ，Ｖｖ，Ｖｗを算出する。以下、図５を用いて、印加電圧算出部２２について説明する。印加電圧算出部２２において、電圧偏差算出部２２ａ（「電圧偏差算出手段」に相当）は、バッテリ１４の目標電圧Ｖｔｇｔからバッテリ電圧ＶＤＣを減算することで、電圧偏差ΔＶを算出する。位相算出部２２ｂ（「位相算出手段」に相当）は、電圧偏差ΔＶに基づいて、インバータ１３の出力電圧ベクトルＶｎの位相である電圧位相δを算出する。本実施形態では、電圧偏差ΔＶを０にフィードバック制御するための操作量として電圧位相δを算出する。具体的には例えば、電圧偏差ΔＶを入力とする比例制御又は比例積分制御によって電圧位相δを算出すればよい。ここで、本実施形態では、ｄｑ座標系における正のｑ軸を基準として、時計まわりに電圧ベクトルＶｎが回転する場合の電圧位相δを正の値で定義する。特に本実施形態では、電圧ベクトルＶｎを時計まわりに回転させることを、電圧位相δを遅角させると称し、電圧ベクトルＶｎを反時計まわりに回転させることを、電圧位相δを進角させると称すこととする。また、電圧ベクトルＶｎの振幅である電圧振幅を「Ｖａｍｐ」とする。
【００２３】
位相算出部２２ｂは、始動発電機１２を発電機として動作させる場合、電圧位相δを０°から規定位相までの範囲内で算出する。規定位相は、０°よりも大きくてかつ９０°よりも小さい値に設定されている。なお、本実施形態では、ステータティースへの磁極位置検出センサ１９の取付位置の制約等から、規定位相を３０°に設定した。ただし、規定位相としては、３０°に限らず、０°よりも大きくてかつ９０°未満の値であれば、他の値に設定してもよい。
【００２４】
位相算出部２２ｂによって算出された電圧位相δは、矩形波信号生成部２２ｃに入力される。矩形波信号生成部２２ｃは、入力された電圧位相δと、バッテリ電圧ＶＤＣと、図示しない磁極位置検出センサ１９の出力信号とに基づいて、矩形波信号としての各相印加電圧Ｖｕ，Ｖｖ，Ｖｗを算出する。詳しくは、まず、バッテリ電圧ＶＤＣに電圧利用率Ｍｒを乗算することにより、電圧振幅Ｖａｍｐを算出する。ここで、電圧利用率Ｍｒとは、バッテリ電圧ＶＤＣに対する電圧振幅Ｖａｍｐの指令値の比率のことである。本実施形態において、電圧利用率Ｍｒは、基本的にはその上限値Ｍｌｉｍｉｔ（０．７８）に設定されている。そして、算出された電圧振幅Ｖａｍｐと、電圧位相δとに基づいて、１８０°通電のための各相印加電圧Ｖｕ，Ｖｖ，Ｖｗを算出する。矩形波信号生成部２２ｃは、算出された各相印加電圧Ｖｕ，Ｖｖ，Ｖｗをインバータ１３に対して出力する。
【００２５】
また、矩形波信号生成部２２ｃは、電圧位相δと、電圧振幅Ｖａｍｐとに基づいて、電圧ベクトルＶｎのｄ軸成分であるｄ軸電圧Ｖｄと、電圧ベクトルＶｎのｑ軸成分であるｑ軸電圧Ｖｑとを算出する。ちなみに、本実施形態において、矩形波信号生成部２２ｃが「電圧制御手段」を含む。
【００２６】
先の図２の説明に戻り、電流推定部２３は、速度算出部２１によって算出された回転速度ω、バッテリ電圧ＶＤＣ、及び矩形波信号生成部２２ｃによって算出されたｄ，ｑ軸電圧Ｖｄ，Ｖｑに基づいて、直流電流ＩＤＣを推定する。以下、図６を用いて、電流推定部２３の行う電流推定処理について説明する。電流推定部２３において、ｄｑ軸電流推定部２３ａは、回転速度ωを入力として、下式（ｅｑ１）に基づいてｄ，ｑ軸電流ｉｄ，ｉｑを推定する。
【００２７】
【数１】
0006458477.tif 000002
上式（ｅｑ１）において、「Ｒａ」は電機子巻線抵抗を示し、「Ｌｄ」，「Ｌｑ」はｄ，ｑ軸インダクタンスを示し、「Ψａ」は誘起電圧定数を示す。上式（ｅｑ１）は、永久磁石同期機の電圧方程式を表す下式（ｅｑ２）に対して、過渡現象を無視するとの条件を課し、ｄ，ｑ軸電流ｉｄ，ｉｑについて変形することで導くことができる。なお、下式（ｅｑ２）において、「ｐ」は微分演算子を示す。
【００２８】
【数２】
0006458477.tif 000003
上式（ｅｑ１）において、ｄ，ｑ軸インダクタンスＬｄ，Ｌｑ、巻線抵抗Ｒａ及び誘起電圧定数Ψａは、制御対象とする回転電機の仕様や実験データ等で予め定められた固定値であり、記憶手段としての機器定数記憶部２３ｂ（例えば、不揮発性メモリ）に記憶されている。なお、巻線抵抗Ｒａ及び誘起電圧定数Ψａが温度依存性を有することから、巻線抵抗Ｒａ及び誘起電圧定数Ψａを温度と関係付けたテーブルやマップを予め作成しておき、テーブルやマップを用いて巻線抵抗Ｒａ及び誘起電圧定数Ψａを設定してもよい。
【００２９】
直流電流推定部２３ｃは、バッテリ電圧ＶＤＣ、ｄｑ軸電流推定部２３ａによって推定されたｄ、ｑ軸電流ｉｄ，ｉｑ、及び矩形波信号生成部２２ｃによって算出されたｄ，ｑ軸電圧Ｖｄ，Ｖｑを入力として、下式（ｅｑ３）に基づいて直流電流ＩＤＣを推定する。
【００３０】
【数３】
0006458477.tif 000004
先の図２の説明に戻り、ＳＯＣ算出部２４は、直流電流推定部２３ｃによって推定された直流電流ＩＤＣの積算値に基づいて、バッテリ１４の充電率ＳＯＣを算出する。算出された充電率ＳＯＣは、例えば車両の各種処理に用いられる。
【００３１】
ところで、ｄ軸電流が正の値となる場合には、図７に示すように、直流電流ＩＤＣの推定誤差ΔＩｅｒｒが大きくなる。ここで、図７は、直流電流ＩＤＣの推定値、直流電流の実測値、ｄ軸電流ｉｄ、及びエンジン回転速度Ｎの推移を示す。図７には、時刻ｔ１以降においてエンジン１１の運転状態がアイドル運転状態に移行し、ｄ軸電流が負の値から正の値に移行して推定誤差ΔＩｅｒｒが増大することを示した。ｄ軸電流が正の値となる場合に推定誤差ΔＩｅｒｒが増大するのは、急激な磁気飽和の影響によって実際のｄ軸インダクタンスが小さくなり、実際のｄ軸インダクタンスが、機器定数記憶部２３ｂに記憶されているｄ軸インダクタンスＬｄから大きくずれるためである。特に、エンジン回転速度（クランク軸１１ａの回転速度）がアイドル回転速度付近である場合において電圧位相δが規定位相に達しているときには、始動発電機１２の回転速度ωが低く始動発電機１２の誘起電圧が小さいことから、ｄ軸電流が正の値になって推定誤差ΔＩｅｒｒが増大しやすい。
【００３２】
そこで本実施形態では、電流推定処理が行われている状況下において、ｄ軸電流が正の値となる場合、ｄ軸電流を０とする処理を矩形波信号生成部２２ｃにおいて行う。以下、図８を用いてｄ軸電流を０とできる理由を説明した後、矩形波信号生成部２２ｃの行う処理について説明する。
【００３３】
図８に、電圧位相δが規定位相（３０°）となる場合の電圧ベクトルＶｎ０，Ｖｎ１，Ｖｎ２を示す。ここで、電圧ベクトルＶｎ０は、そのｑ軸成分が誘起電圧「ω×Ψａ」よりも高くなる場合の電圧ベクトルを示し、電圧ベクトルＶｎ１は、ｑ軸成分が誘起電圧と一致する場合の電圧ベクトルを示す。また、電圧ベクトルＶｎ２は、ｑ軸成分が誘起電圧よりも低くなる場合の電圧ベクトルを示す。また、各電圧ベクトルＶｎ０，Ｖｎ１，Ｖｎ２に対応する各電流ベクトルを「Ｉｎ０，Ｉｎ１，Ｉｎ２」にて示す。
【００３４】
図示されるように、誘起電圧ベクトルと電圧ベクトルとの位置関係により、ｄ，ｑ軸電機子反作用が生じる。詳しくは、電圧ベクトルＶｎ０のｑ軸成分が誘起電圧よりも大きい場合、電流ベクトルは、ｄ軸電機子反作用によって正のｄ軸電流が流れるような電流ベクトルＩｎ０となる。ここで、電圧ベクトルＶｎ１のｑ軸成分を誘起電圧と一致させると、ｄ軸電機子反作用がなくなることから、電流ベクトルは、ｄ軸電流が０となるような電流ベクトルＩｎ１となる。電圧位相が電圧ベクトルＶｎ１よりも大きい電圧ベクトルＶｎ２では、ｄ軸電流の符号が反転し、電流ベクトルは、負のｄ軸電流が流れるような電流ベクトルＩｎ２となる。このように、電圧ベクトルのｑ軸成分と誘起電圧との偏差に応じて電流ベクトルの位相が変化する。このことを利用して、電流推定処理が行われている状況下においてｄ軸電流を０とする。
【００３５】
図９に、矩形波信号生成部２２ｃによって行われる処理について説明する。この処理は、例えば所定の処理周期で繰り返し実行される。
【００３６】
この一連の処理では、まずステップＳ１０において、クラッチミート状態であるか否かを判断する。ステップＳ１０においてクラッチミート状態でない（クラッチ遮断状態である）と判断した場合には、ステップＳ１１に進み、計算用回転速度ωｃを、図１０に示すように、エンジン１１の１燃焼サイクル（７２０℃Ａ）における回転速度ωの最小値ωｍｉｎとする。この処理は、クラッチ遮断状態においては、直流電流ＩＤＣの推定誤差が生じやすいことに鑑みて設けられた処理である。つまり、クラッチミート状態である場合、始動発電機１２の回転軸が駆動輪１７と連結されていることから、回転慣性が大きくなり、始動発電機１２の回転変動が抑制される。これに対し、クラッチ遮断状態においては、始動発電機１２の回転軸が駆動輪１７と連結されていないことから、回転慣性が小さくなり、エンジン１１の燃焼制御に伴う始動発電機１２の回転変動が大きくなる。このため、都度の回転速度ωを用いて後述するステップＳ１３において誘起電圧「ωｃ×Ψａ」を算出すると、算出された誘起電圧が実際の誘起電圧よりも大きくなることがある。この場合、算出された誘起電圧にｑ軸電圧Ｖｑを追従させても、ｄ軸電流を０以下にすることができない。
【００３７】
そこで本実施形態では、クラッチ遮断状態である場合、エンジン１１の１燃焼サイクルにおける回転速度の最小値ωｍｉｎを誘起電圧の算出に用いる。
【００３８】
一方、ステップＳ１０においてクラッチミート状態であると判断した場合には、ステップＳ１２に進み、計算用回転速度ωｃを、磁極位置検出センサ１９の出力信号から把握される最新の回転速度ωｉとする。
【００３９】
ステップＳ１１、Ｓ１２の処理の完了後、ステップＳ１３に進む。ステップＳ１３では、電圧振幅Ｖａｍｐ、計算用回転速度ωｃ、位相算出部２２ｂによって算出された電圧位相δ、及び機器定数記憶部２３ｂに記憶されている誘起電圧定数Ψａを入力として、下式（ｅｑ４）に基づいて、誘起電圧偏差ＩＮＤＥＸを算出する。
【００４０】
【数４】
0006458477.tif 000005
上式（ｅｑ４）において、電圧振幅Ｖａｍｐは、バッテリ電圧ＶＤＣに電圧利用率の上限値Ｍｌｉｍｉｔ（０．７８）を乗算することで算出すればよい。そして、誘起電圧偏差ＩＮＤＥＸが０よりも大きいか否かを判断する。この処理は、ｄ軸電流が０よりも大きいか否かを判断するための処理である。ちなみに、本実施形態において、本ステップの処理が「誘起電圧算出手段」を含む。
【００４１】
ステップＳ１３において肯定判断した場合には、ｄ軸電流が０よりも大きいと判断し、ステップＳ１４に進む。ステップＳ１４では、誘起電圧偏差ＩＮＤＥＸを０にフィードバック制御するための操作量として時比率補正量ΔＤｕｔｙ（≧０）を算出する。ここでは、誘起電圧偏差ＩＮＤＥＸが大きいほど、時比率補正量ΔＤｕｔｙを大きく算出する。本実施形態において、本ステップの処理が「時比率設定手段」を含む。以下、本ステップの処理について説明する。
【００４２】
本ステップの処理は、図１１に示すように、１８０°通電制御を基本としつつも、１８０°通電制御にＤｕｔｙ制御（ＰＷＭ制御ともいう）を組み合わせることで、ｑ軸電圧を誘起電圧に追従させるための処理である。ここで、図１１は、先の図４に対応している。本実施形態では、下アームスイッチＳｕｎ，Ｓｖｎ，Ｓｗｎ（「対象スイッチ」に相当）について、１８０°通電制御によって規定されるオン期間をオン操作可能期間とし、このオン操作可能期間内において、オンオフ操作を繰り返す。ここで、オンオフ操作１周期（１スイッチング周期Ｔｓｗ）に対するオン操作時間Ｔｏｎの割合である時比率Ｄｕｔｙ（＝Ｔｏｎ／Ｔｓｗ）を調整することで、電圧振幅Ｖａｍｐを調整することができる。詳しくは、時比率Ｄｕｔｙが小さくなるほど、電圧振幅Ｖａｍｐが小さくなる。
【００４３】
本実施形態では、電圧利用率がその上限値Ｍｌｉｍｉｔとなる場合の時比率Ｄｕｔｙを１００％とする（先の図４参照）。そして、１００％から、ステップＳ１４で算出した時比率補正量ΔＤｕｔｙを減算した値を最終的な時比率「１００−ΔＤｕｔｙ」に設定して各相印加電圧Ｖｕ，Ｖｖ，Ｖｗを算出する。
【００４４】
なお、図１２に、電圧振幅Ｖａｍｐの調整態様の一例を示した。図示されるように、ｑ軸電圧が互いに同一の電圧ベクトルＶｎ１，Ｖｎ２において、電圧位相δが大きい電圧ベクトルほど、ｑ軸電圧を誘起電圧に一致させるための時比率補正量ΔＤｕｔｙが大きく設定される。なお図１２において、便宜上、電圧ベクトルＶｎ２を、電圧位相が規定位相（３０°）を超える状態で記載した。
【００４５】
先の図９の説明に戻り、ステップＳ１４の処理が完了した場合や、ステップＳ１３において否定判断した場合（ｄ軸電流が０以下であると判断した場合）には、ステップＳ１５に進む。ステップＳ１５では、電圧位相δ、時比率補正量ΔＤｕｔｙ、バッテリ電圧ＶＤＣ、図示しない磁極位置検出センサ１９の出力信号に基づいて、矩形波信号生成部２２ｃにおける上述した手法によって各相印加電圧Ｖｕ，Ｖｖ，Ｖｗを算出する。ここでは、電圧振幅Ｖａｍｐを算出するための電圧利用率Ｍｒを、例えば下式（ｅｑ５）によって算出すればよい。なお本実施形態において、ステップＳ１３で否定判断された場合には、時比率補正量ΔＤｕｔｙが０とされる。
【００４６】
【数５】
0006458477.tif 000006
以上詳述した本実施形態によれば、以下の効果が得られるようになる。
【００４７】
（１）誘起電圧偏差ＩＮＤＥＸが０よりも大きくなる場合、電圧振幅Ｖａｍｐを低下させることでｑ軸電圧Ｖｑを誘起電圧「ωｃ×Ψａ」に追従させた。ここでは、１８０°通電制御を基本としつつＤｕｔｙ制御を行うことで電圧振幅Ｖａｍｐを低下させた。このため、実際のｄ軸インダクタンスが、電流推定に用いられる予め定められたｄ軸インダクタンスＬｄから大きくずれることを回避できる。これにより、直流電流ＩＤＣの推定誤差を好適に抑制することができる。したがって、バッテリ１４の充電率ＳＯＣの算出精度の低下を回避することができる。
【００４８】
（２）クラッチ遮断状態である場合、エンジン１１の１燃焼サイクルにおける回転速度の最小値ωｍｉｎを誘起電圧の算出に用いた。本実施形態では、エンジン１１のアイドル運転状態時にクラッチ遮断状態とされるため、クラッチ遮断状態は、誘起電圧が低い上に回転速度の変動が大きい状況である。この状況下においても、ｑ軸電圧Ｖｑを的確に誘起電圧以下にすることができ、ｄ軸電流を０以下とすることができる。これにより、クラッチミート前においても、直流電流ＩＤＣの推定誤差を的確に抑制することができる。
【００４９】
（その他の実施形態）
なお、上記実施形態は、以下のように変更して実施してもよい。
【００５０】
・上記実施形態では、矩形波信号生成部２２ｃにおいて、誘起電圧偏差ＩＮＤＥＸを算出し、算出された誘起電圧偏差ＩＮＤＥＸが０よりも大きいことをもってｄ軸電流が０よりも大きいと判断したがこれに限らない。例えば、矩形波信号生成部２２ｃにおいて、ｄｑ軸電流推定部２３ａによって推定されたｄ軸電流ｉｄが０よりも大きいか否かを判断してもよいし、上記誘起電圧偏差ＩＮＤＥＸ又はｄ軸電流ｉｄが０を超える値よりも大きいか否かを判断してもよい。
【００５１】
・始動発電機１２としては、永久磁石型同期機に限らず、例えば、ロータに界磁巻線を備える界磁巻線型同期機であってもよい。また、始動発電機１２としては、Ｙ結線されたものに限らず、例えばΔ結線されたものであってもよい。
【００５２】
・クラッチ１６としては、自動遠心クラッチに限らず、例えば、ユーザのクラッチレバー操作によってクラッチミート状態及びクラッチ遮断状態のいずれかに切り替え可能に構成された断続式クラッチであってもよい。
【００５３】
・上記実施形態では、上アームスイッチのオン操作可能期間において、上アームスイッチを時比率に従ってオンオフ操作することで、ｑ軸電圧を誘起電圧に追従させるべく電圧振幅Ｖａｍｐを低下させたがこれに限らない。例えば、下アームスイッチのオン操作可能期間において、下アームスイッチを時比率に従ってオンオフ操作することで電圧振幅Ｖａｍｐを低下させてもよい。
【００５４】
また、ｑ軸電圧を誘起電圧に追従させる手法としては、時比率Ｄｕｔｙを低下させるものに限らない。例えば、バッテリ１４の端子間電圧を可変にできる構成をシステムに備える場合、バッテリ１４の端子間電圧を低下させることで電圧振幅Ｖａｍｐを低下させてもよい。
【００５５】
・始動発電機１２の駆動方式としては、３相１８０°通電方式に限らず、３相１２０°通電方式等、他の通電方式であってもよい。ここで、図１３には、基本となる１２０°通電制御を示し、図１４には、１２０°通電制御にＤｕｔｙ制御を組み合わせた制御を示した。
【００５６】
・矩形波信号生成部２２ｃにおいて用いられる基本となる電圧利用率としては、その上限値Ｍｌｉｍｉｔに限らず、上限値未満の値であってもよい。
【００５７】
・先の図９のステップＳ１４において、誘起電圧偏差ＩＮＤＥＸを、０ではない規定値にフィードバック制御するように時比率補正量ΔＤｕｔｙを算出してもよい。すなわち、ｄ軸電流を規定値未満の規定電流とするように電圧振幅Ｖａｍｐを操作してもよい。
【００５８】
・上記各実施形態において、誘起電圧の算出に用いる回転速度を以下のように算出してもよい。詳しくは、エンジン１１の１燃焼サイクル（７２０°ＣＡ）毎に、クランク軸１１ａの回転角度位置が予め設定された回転角度位置となる時の回転速度（以下、所定角度位置の回転速度）を算出する。そして、算出された所定角度位置の回転速度と、予め実験等で定められた１燃焼サイクルの回転速度の最小値とに基づいて、誘起電圧の算出に用いる回転速度の最小値ωｍｉｎを算出してもよい。具体的には例えば、所定角度位置の回転速度と、予め実験等で定められた回転速度の最小値との差分又は偏差値を算出し、算出した差分又は偏差値によって所定角度位置の回転速度を補正することで、上記最小値ωｍｉｎを算出してもよい。
【００５９】
また、上記各実施形態では、誘起電圧の算出にエンジン１１の１燃焼サイクルにおける回転速度の最小値ωｍｉｎを用いたがこれに限らず、例えば、上記最小値ωｍｉｎの直前や直後の回転速度ω等、上記最小値ωｍｉｎよりもやや高い回転速度ωを用いてもよい。
【００６０】
・電力変換回路としては、３相インバータに限らない。要は、始動発電機１２から出力された交流電圧を直流電圧に変換してバッテリ１４に印加可能な電力変換回路であれば、他の電力変換回路であってもよい。
【００６１】
・本発明の適用対象としては、自動２輪車に限らず、自動車等、他の車両であってもよい。
【符号の説明】
【００６２】
１２…始動発電機、１３…インバータ、１４…バッテリ、２０…制御装置。
【図１】
0006458477.tif 000007
【図２】
0006458477.tif 000008
【図３】
0006458477.tif 000009
【図４】
0006458477.tif 000010
【図５】
0006458477.tif 000011
【図６】
0006458477.tif 000012
【図７】
0006458477.tif 000013
【図８】
0006458477.tif 000014
【図９】
0006458477.tif 000015
【図１０】
0006458477.tif 000016
【図１１】
0006458477.tif 000017
【図１２】
0006458477.tif 000018
【図１３】
0006458477.tif 000019
【図１４】
0006458477.tif 000020